(57)【要約】【課題】結露水が溜まったことを使用者に報知し、その結露水が使用者にかかるのを防ぐ浴室空調装置を提供すること。【解決手段】浴室の天井パネルに形成された開口部に取り付けられ、浴室の空調を行う浴室空調装置において、開口部を開閉可能に覆うフロントパネルと、フロントパネルに形成され、浴室内の空気を吸い込む吸込口と、フロントパネルに形成され、吸込口から吸い込んだ空気を浴室内に吹き出す吹出口と、フロントパネルの上方に形成され、吸込口と吹出口とを連通させる流路である内部流路と、内部流路に配置され、吸込口から吸い込んだ空気を前記吹出口に向かわせる送風機と、内部流路において発生した結露水を受け止めて溜めておく溜水部と、溜水部に結露水が溜まっているか否かを検知する検知手段と、検知手段の検知結果に基づき、結露水の有無を報知する結露水報知手段と、を備えることを特徴とする浴室空調装置。【選択図】図３
2015068552.tif 000002
【特許請求の範囲】
【請求項１】
浴室の天井パネルに形成された開口部に取り付けられ、浴室の空調を行う浴室空調装置において、
前記開口部を開閉可能に覆うフロントパネルと、
前記フロントパネルに形成され、浴室内の空気を吸い込む吸込口と、
前記フロントパネルに形成され、前記吸込口から吸い込んだ空気を浴室内に吹き出す吹出口と、
前記フロントパネルの上方に形成され、前記吸込口と前記吹出口とを連通させる流路である内部流路と、
前記内部流路に配置され、前記吸込口から吸い込んだ空気を前記吹出口に向かわせる送風機と、
前記内部流路において発生した結露水を受け止めて溜めておく溜水部と、
前記溜水部に結露水が溜まっているか否かを検知する検知手段と、
前記検知手段の検知結果に基づき、結露水の有無を報知する結露水報知手段と、
を備えることを特徴とする浴室空調装置。
【請求項２】
前記溜水部は、前記フロントパネルと一体に構成されていることを特徴とする請求項１に記載の浴室空調装置。
【請求項３】
前記検知手段は、少なくとも２つの電極を有し、前記溜水部に溜まる結露水を介して少なくとも２つの前記電極が導通することで結露水を検知することを特徴とする請求項１又は請求項２記載の浴室空調装置。
【請求項４】
前記電極の少なくとも１つは、前記溜水部の底面から高さ方向に離れた位置に設置されることを特徴とする請求項１から請求項３の何れか１項に記載の浴室空調装置。
【請求項５】
前記浴室空調装置のメンテナンス時期を知らせるメンテナンス時期報知手段を有し、
前記メンテナンス時期報知手段がメンテナンス時期を報知しているときにのみ、前記結露水報知手段が前記溜水部における結露水の有無を報知することを特徴とする請求項１から請求項４の何れか１項に記載の浴室空調装置。
【発明の詳細な説明】
【技術分野】
【０００１】
本発明は、浴室の空調を行う浴室空調装置に関する。
【背景技術】
【０００２】
従来から、浴室の天井パネルに形成された開口部に取り付けられ、浴室内の暖房や乾燥等、浴室の空調を行うことのできる浴室空調装置が知られている。このような浴室空調装置は、上記開口部を開閉可能に覆うフロントパネルを備えており、フロントパネルに形成された吸込口から浴室の空気を吸い込み、ヒーターを経由させる等の空調を行った後、吹出口から浴室に向けて空気を吹き出すものである。吸込口には浴室から高温多湿の空気が流入するが、浴室空調装置の内部は浴室内の気温に比べて低い温度となっているため、浴室空調装置の内部では結露が発生しやすい状態となっている。浴室空調装置の内部で結露が発生すると、浴室空調装置から浴室内に結露水が落下し、浴室の使用者（以下「清掃者」ともいう）に降りかかってしまう場合がある。このため、浴室空調装置においては、内部で発生した結露水を浴室内に落下させないための構成が種々検討されている。例えば下記特許文献１には、フロントパネルに結露水を受け止める溜水部を備えた浴室空調装置が記載されている。結露水を溜水部により受け止めることで、浴室内に結露水が落下することを防止している。
【先行技術文献】
【特許文献】
【０００３】
【特許文献１】特開２０１３−１４２５０３号公報
【発明の概要】
【発明が解決しようとする課題】
【０００４】
しかしながら、溜水部に溜まった結露水を長期間放置していると、水垢やぬめりの原因となり溜水部を構成するフロントパネルの底部が汚れてしまうという問題があった。また空調装置内のフィルタ及びフロントパネルの清掃等のメンテナンスを行う際、フロントパネルを開閉する必要があり、結露水が溜まった状態で開閉すると、開けた際に結露水が滴下し、フロントパネルを開けた清掃者に結露水が降りかかってしまう場合がある。特に、フロントパネルに結露水が溜まっている状態を知らない清掃者が、フロントパネルを勢いよく開けたときに結露水が降りかかってしまう可能性が高く問題となっていた。
【０００５】
本発明は前記事情に鑑みて為されたものであり、その目的は、結露水が溜まったことを使用者に報知し、その結露水が使用者にかかるのを防ぐ浴室空調装置を提供することを目的とする。
【課題を解決するための手段】
【０００６】
本発明の態様の１つは、浴室の天井パネルに形成された開口部に取り付けられ、浴室の空調を行う浴室空調装置において、前記開口部を開閉可能に覆うフロントパネルと、前記フロントパネルに形成され、浴室内の空気を吸い込む吸込口と、前記フロントパネルに形成され、前記吸込口から吸い込んだ空気を浴室内に吹き出す吹出口と、前記フロントパネルの上方に形成され、前記吸込口と前記吹出口とを連通させる流路である内部流路と、前記内部流路に配置され、前記吸込口から吸い込んだ空気を前記吹出口に向かわせる送風機と、前記内部流路において発生した結露水を受け止めて溜めておく溜水部と、前記溜水部に結露水が溜まっているか否かを検知する検知手段と、前記検知手段の検知結果に基づき、結露水の有無を報知する結露水報知手段と、を備えることを特徴とする浴室空調装置である。
【０００７】
このように構成された発明においては、溜水部に結露水が溜まっているか否かを検知する検知手段の検知結果に基づき、結露水の有無を清掃等のメンテナンスを行う清掃者に報知することで、作業者は溜水部に結露水が溜まっているか否かを確認できる。そして、結露水が溜まっていた場合、清掃者はそれを意識してフロントパネルをゆっくりと開くので、作業者に結露水がかかるのを予防できる。
【０００８】
本発明の選択的な態様においては、前記溜水部は、前記フロントパネルと一体に構成されていることを特徴とする浴室空調装置である。
【０００９】
このように構成された発明においては、溜水部とフロントパネルとが一体に構成されているので、溜水部を設けても浴室空調装置をコンパクトにすることができる。
【００１０】
本発明の選択的な態様においては、前記検知手段は、少なくとも２つの電極を有し、前記溜水部に溜まる結露水を介して少なくとも２つの前記電極が導通することで結露水を検知することを特徴とする浴室空調装置である。
【００１１】
このように構成された発明においては、結露水が溜水部に溜まると少なくとも２つの電極が導通するので、結露水の有無を確実に検知できる。
【００１２】
本発明の選択的な態様においては、前記電極の少なくとも１つは、前記溜水部の底面から高さ方向に離れた位置に設置されることを特徴とする浴室空調装置である。
【００１３】
このように構成された発明においては、少なくとも２つの電極の１つが、溜水部の底面から高さ方向に離れた位置に設置されることで、高さ方向に離れた電極の位置まで結露水が溜まらないと検知されない。このため、所定の結露水の量が溜まれば清掃者に、結露水が溜まったことを知らせることができるので、適度にメンテナンスを行うことができる。
【００１４】
本発明の選択的な態様においては、前記浴室空調装置のメンテナンス時期を知らせるメンテナンス時期報知手段を有し、前記メンテナンス時期報知手段がメンテナンス時期を報知しているときにのみ、前記結露水報知手段が前記溜水部における結露水の有無を報知することを特徴とする浴室空調装置である。
【００１５】
このように構成された発明においては、フロントパネルを開閉する必要のある、浴室空調装置のメンテナンスのときに、結露水の有無を報知でき清掃者に注意を促すことができる。
【発明の効果】
【００１６】
本発明の浴室空調装置によれば、結露水が溜まったことを使用者に報知し、その結露水が使用者にかかるのを防ぐことができる。
【図面の簡単な説明】
【００１７】
【図１】本発明の実施形態である浴室空調装置を浴室に取り付けた状態を模式的に示す図である。
【図２】本発明の実施形態である浴室空調装置のリモコンの正面図である。
【図３】本発明の実施形態である浴室空調装置を下方から見た状態を示す外観図である。
【図４】図３におけるＡ−Ａ断面を示す断面図である。
【図５】本発明の実施形態である浴室空調装置を下方から見た状態を示す外観図である。
【図６】図５におけるＢ−Ｂ断面を示す断面図である。
【発明を実施するための形態】
【００１８】
以下、添付図面を参照しながら本発明の実施の形態について説明する。説明の理解を容易にするため、各図面において同一の構成要素に対しては可能な限り同一の符号を付して、重複する説明は省略する。
【００１９】
本発明の実施形態に係る浴室空調装置は、浴室内の空気を吸い込みヒーターを経由させて浴室方向に吹き出す暖房モードと、浴室内の空気を吸い込み浴室外に排出する換気モードと、浴室内の空気を吸い込みその一部はヒーターを経由させて浴室方向に吹き出しながら、残りの空気は浴室外に排出する乾燥モードと、を備えると共に、浴室以外の第二室である洗面所等の換気も行うことができるものである。
【００２０】
この浴室空調装置の配置態様について図１を参照しながら説明する。図１に示すように、浴室空調装置ＤＭは、浴室ＢＲの天井ＢＲｃに取り付けられるものである。浴室空調装置ＤＭは、浴室ＢＲ内の空気を吸い込みヒータ（図１においては明示しない）を経由させて浴室ＢＲ方向に空気を吹き出すことができる。また、浴室空調装置ＤＭは、浴室ＢＲ内の空気を吸い込み、少なくともその一部をダクトＤ１を通して浴室外に排出することもできる。また、浴室空調装置ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００２１】
上記の通り乾燥モードは、浴室ＢＲ内の空気を吸い込みその一部はヒーターを経由させて浴室ＢＲの方向に吹き出しながら、残りの空気は浴室ＢＲ外に排出する運転モードである。この乾燥モードにおいて浴室空調装置ＤＭは、ヒーターを経由させた空気を浴室ＢＲの方向に吹き出すため、浴室ＢＲ内の気温は上昇する。また、浴室ＢＲから吸い込まれた空気の一部は、浴室ＢＲ内の水蒸気と共に浴室ＢＲ外に排出される。その結果、浴室ＢＲ内の湿度は効率的に低下することとなり、浴室空調装置ＤＭの下方に洗濯後の衣類を吊り下げた状態で乾燥モードによる運転を行えば、浴室ＢＲの壁面と共に衣類も短時間で乾燥させることができる。
【００２２】
洗面所ＳＲの壁に設けられるリモコンＲＭは、図２に示すように、リモコンＲＭ表面に複数の押ボタンや報知手段であるＬＥＤ７０、７２（Ｌｉｇｈｔ  Ｅｍｉｔｔｉｎｇ  Ｄｉｏｄｅ）を備えている。浴室空調装置ＤＭの暖房モード、換気モード又は乾燥モードの選択や、動作の停止などは、リモコンＲＭのボタンを使用者が操作することによって行われる。リモコンＲＭと浴室空調装置ＤＭは、有線ケーブルＣＢ（図１）によって接続され、使用者のボタン操作に基づき、リモコンＲＭから指令信号が送信され、浴室空調装置ＤＭは、リモコンＲＭからの指令信号に応じて動作を決定する。
【００２３】
図３は、浴室空調装置ＤＭを下方から見た状態を示す外観図である。同図においては、説明のためにフロントパネルＳＰを取り外した状態を示している。図３に示されるように、浴室空調装置ＤＭは、浴室ＢＲの天井ＢＲｃに形成された矩形の開口部に、ファン３０等が収められた機能部ＦＢを挿入固定し、その後、フロントパネルＳＰで開口部及び機能部ＦＢを覆った状態で浴室ＢＲに設置される。フロントパネルＳＰは長方形に形成された板状の部材であって、浴室ＢＲの壁面（天井ＢＲｃ）と平行に配置される主面を有しており、当該主面の法線方向を浴室ＢＲ側に向けて配置されるものである。フロントパネルＳＰは、吸込口１０及び吹出口２０を備えている。
【００２４】
吸込口１０は、浴室空調装置ＤＭが浴室ＢＲ内の空気を吸い込むための部分であって、フロントパネルＳＰの主面において二つの開口１０ａ、１０ｂとして形成された部分である。これら二つの開口１０ａ、１０ｂは、いずれも、フロントパネルＳＰの長辺方向に沿った細長い長方形状に形成されている。
【００２５】
吹出口２０は、浴室空調装置ＤＭが浴室内に空気を吹き出すための部分であって、フロントパネルＳＰの主面において開口２０ａとして形成された部分である。開口２０ａは、上記の開口１０ａ、１０ｂとは離間した位置において、フロントパネルＳＰの長辺方向に沿った細長い長方形状に形成されている。開口２０ａの形状は、機能部ＦＢ側に固定された整風板２１の外形と略一致しており、フロントパネルＳＰで機能部ＦＢを覆った際において、整風板２１が開口２０ａに嵌入された状態となる。すなわち、浴室空調装置ＤＭから浴室ＢＲ内に空気を吹き出す際は、空気は整風板２１と吹出口２０とを同時に通過した後、浴室ＢＲ内に吹き出すこととなる。
【００２６】
続いて、浴室空調装置ＤＭの内部構造について、図４を参照しながら説明する。図４は、図３の浴室空調装置ＤＭにおいて、フロントパネルＳＰを取り付けた状態におけるＡ−Ａ断面を示す断面図である。図４に示すように、浴室空調装置ＤＭの機能部ＦＢは、その下端においてフランジＦＢｆが形成されており、フランジＦＢｆと天井ＢＲｃとが図示しないボルトで固定されている。また、フロントパネルＳＰは、フランジＦＢｆ全体を覆うように設置され、フランジＦＢｆに対して図示しないボルトで固定されている。
【００２７】
機能部ＦＢの内部、すなわちフロントパネルＳＰの上方には、吸込口１０と吹出口２０とを連通させる内部流路５０が形成されている。内部流路５０は、吸込口１０から吸い込んだ空気が吹出口２０へと流れるための流路である。内部流路５０は、ファン３０より上流側である上流側流路５０ａと、ファン３０より下流側である下流側流路５０ｂとを有している。
【００２８】
ファン３０は内部流路５０に配置された送風機であって、内部流路５０における空気の流れを発生させるものである。ファン３０の上部には、ファン３０を回転駆動するファンモータ３０ａが設けられている。ファン３０は、複数の羽根を円形に並べた所謂シロッコファンと呼ばれるものである。ファンモータ３０ａが回転すると、ファン３０が回転駆動され、ファン３０の下方から空気を吸い込み、ファン３０の側面から水平方向に空気が放出される。ファン３０の側面から放出された空気は、その後、下流側流路５０ｂへと流れる。
【００２９】
下流側流路５０ｂには、ファン３０よりも下流側で且つ吹出口２０よりも上流側において、下流側流路５０ｂから分岐する流路として図示しない排出流路が接続されている。排出流路はダクトＤ１に接続された流路であって、浴室の外部（例えば屋外）に連通している。
【００３０】
下流側流路５０ｂと排出流路との境界部には、図示しないダンパーが配置されている。ダンパーは、下流側流路５０ｂから排出流路へ空気が流れる流路の開度を調整するためのものである。ダンパーの動作によって、排出流路へ空気が流れる流路の開度が調整される。
【００３１】
暖房モードにおいては、ダンパーが排出流路を完全に閉鎖した状態となり、吸込口１０から吸い込まれた空気は全てヒーターＨＴで加熱された後、吹出口２０から浴室ＢＲ内に吹き出す。乾燥モードにおいては、ダンパーの開度が調整され、吸込口１０から吸い込まれた空気の一部は排出流路を通じて浴室ＢＲの外部に排出される一方、残りはヒーターＨＴを経由して吹出口２０を通過し浴室ＢＲに吹き出す。換気モードにおいては、ダンパーは排出流路を開状態とする一方、吹出口２０に通じる流路を完全に閉鎖する。このため、吸込口１０から吸い込まれた空気は、全て排出流路を通じて浴室ＢＲの外部に排出される。
【００３２】
下流側流路５０ｂを流れる空気は、上記のように少なくとも一部は排出流路を通じて浴室ＢＲの外部に排出され、残りはヒーターＨＴを経由して吹出口２０を通過し、浴室ＢＲに吹き出る。ヒーターＨＴは、整風板２１の直上に配置された電気ヒーターであって、吹出口２０から吹き出す空気を加熱するものである。ヒーターＨＴは常に空気を加熱するものではなく、浴室空調装置ＤＭの運転モードに応じて、加熱のＯＮ／ＯＦＦが適宜制御される。
【００３３】
次に、浴室空調装置ＤＭの内部において発生する結露水について説明する。図４に示したように、吸込口１０の鉛直上方には、傾斜壁ＷＬａ及び傾斜壁ＷＬｂが配置されている。具体的には、開口１０ａの鉛直上方には傾斜壁ＷＬａが配置され、開口１０ｂの鉛直上方には傾斜壁ＷＬｂが配置されている。傾斜壁ＷＬａ、ＷＬｂはそれぞれ、鉛直方向に対して斜めに（図４においては、法線が右下方向を向くように）配置された傾斜面Ｓａ、Ｓｂを有している。
【００３４】
傾斜壁ＷＬａ及び傾斜壁ＷＬｂを上記のように配置しているため、吸込口１０から吸い込まれた空気は、浴室空調装置ＤＭの内部にある他の構造物に当たる前に、最初に傾斜面Ｓａ、Ｓｂに当たる。吸込口１０から吸い込まれた空気は浴室ＢＲ内の高温多湿の空気であるため、傾斜面Ｓａ、Ｓｂに当たることによって冷却される。その結果、傾斜面Ｓａ、Ｓｂの面上で結露し、それぞれにおいて水滴ＷＴ１ａ、ＷＴ１ｂが発生する。即ち、傾斜壁ＷＬａ及び傾斜壁ＷＬｂは、本発明における凝縮部として機能するものである。
【００３５】
吸込口１０から吸い込まれた空気は、最初に傾斜面Ｓａ、Ｓｂに当たって結露し水滴ＷＴ１ａ、ＷＴ１ｂを発生させた後、比較的湿度が低い状態となる。このため、傾斜面Ｓａ、Ｓｂよりも下流側において再び結露することは抑制されている。換言すれば、浴室空調装置ＤＭにおける結露は、そのほとんどが傾斜面Ｓａ、Ｓｂにおいて発生し、他の部分において発生することは抑制されている。
【００３６】
傾斜面Ｓａ、Ｓｂで発生した水滴ＷＴ１ａ、ＷＴ１ｂは、それぞれ傾斜面Ｓａ、Ｓｂに付着したままの状態で、重力により下方に移動する。すなわち、傾斜面Ｓａ、Ｓｂに沿って下方に（図４においては左下に向かって）移動し、傾斜面Ｓａ、Ｓｂの下端部まで移動する。
【００３７】
傾斜面Ｓａ、Ｓｂの下端部の鉛直下方には、溜水部ＲＳが形成されている。溜水部ＲＳは、フロントパネルＳＰと一体に構成されている。詳細には、フロントパネルＳＰの上面の一部である底面ＢＴと、底面ＢＴの外周から上方に突出する外周壁Ｗと、外周壁Ｗの上部から水平に延びる捕水壁ＣＴと、開口１０ａの外周から上方に突出する内周壁Ｗａと、開口１０ｂの外周から上方に突出する内周壁Ｗｂとを備えており、これらによって所定量の水を蓄えることができるように形成されている。
【００３８】
このため、傾斜面Ｓａ、Ｓｂの下端部まで移動した水滴ＷＴ１ａ、ＷＴ１ｂはその後落下するが、溜水部ＲＳに受け入れられることにより、結露水である保留水ＷＴ２として溜まることとなる。このように、傾斜面Ｓａ、Ｓｂにおいて発生した水滴ＷＴ１ａ、ＷＴ１ｂが、発生した位置で直ちに落下するのではなく、傾斜面Ｓａ、Ｓｂに沿って下方に移動した後で溜水部ＲＳに落下し、保留水ＷＴ２として溜まる。従って、水滴ＷＴ１ａ、ＷＴ１ｂが吸込口１０を通過して浴室ＢＲに落下することが確実に防止される。
【００３９】
次に、溜水部ＲＳに溜まった結露水である保留水ＷＴ２を検知する検知手段について説明する。捕水壁ＣＴには検知手段である電極６０ａ、６０ｂが、下方向に垂直に延びるように設けられる。電極６０ａ、６０ｂは、円筒状であり先端が丸みを帯びている。電極６０ａ、６０ｂの基端部は、捕水壁ＣＴの下面に設置される。電極６０ａの下端は、フロントパネルＳＰの底面ＢＴに当接している。電極６０ｂの下端は、底面ＢＴから高さ方向に所定の間隔だけ離れた場所に位置している。
【００４０】
保留水ＷＴ２が図４のような水位のとき、電極６０ａ、６０ｂは、二つとも保留水ＷＴ２の中に位置する。この状態で電極６０ａ、６０ｂの間に電流を流すと、電極６０ａと電極６０ｂとが保留水ＷＴ２を介して導通し（水の中を電気が通る）電流が流れる。この電流をリモコンＲＭの内部の図示しない制御基盤が、検知することで、保留水ＷＴ２が溜まっているかを検知できる。電極６０ｂの下端の位置を調整することで、どの程度保留水ＷＴ２が溜まれば、結露水ＬＥＤ７０が点灯するかを調整できる。例えば、電極６０ａ、６０ｂのそれぞれの下端を、底面ＢＴに当接する位置に設けると、微量の保留水ＷＴ２であっても検知でき、結露水ＬＥＤ７０によって保留水ＷＴ２の有無を報知できる。なお、報知手段である結露水ＬＥＤ７０は、リモコンＲＭ表面に設置されているが、フロントパネルＳＰに設置してもよい。
【００４１】
リモコンＲＭの内部の制御基盤は、電極６０ａ、６０ｂの間に電流が流れると、リモコンＲＭの表面に設けられる結露水報知手段（図６参照）である結露水ＬＥＤ７０を点灯させる。結露水ＬＥＤ７０の点灯によって、使用者に保留水Ｔ２が溜まっていることを報知する。結露水ＬＥＤ７０が消灯しているときは、電極６０ａと電極６０ｂとが導通していないので、保留水Ｔ２は所定量までは溜まっていない。
【００４２】
結露水である保留水ＷＴ２の検知手段を、２つの電極６０ａ、６０ｂを用いたことで、安価で故障しにくく安定した運用が可能である。また、溜水部ＲＳは、水が溜まる部分であるため、不衛生な状態となりやすく、定期的に清掃等のメンテナンスを施すことが望ましい。しかし、結露水である保留水ＷＴ２が少し溜まる度にメンテナンスを頻繁に行うのは煩わしいため、所定の量の保留水ＷＴ２が溜まった時にメンテナンスを行うのが望ましい。電極６０ｂが、フロントパネルＳＰの底面ＢＴから高さ方向に離れた位置に設置されることで、所定の量の保留水ＷＴ２が溜まった時点で報知できる。従って、使用者は、所定の量の保留水ＷＴ２が溜まっているか否かを確認できる。
【００４３】
次に、溜水部ＲＳにメンテナンスを施すための機構について、図５及び図６を参照しながら説明する。図５は、浴室空調装置ＤＭを下方から見た状態を示す外観図であって、メンテナンスを行う際における浴室空調装置ＤＭの状態を示している。
【００４４】
既に説明したように、浴室空調装置ＤＭの溜水部ＲＳは、フロントパネルＳＰの一部と一体に構成されている。本実施形態においては、フロントパネルＳＰのうち溜水部ＲＳが形成されている部分は、他の部分に対して図５のように回動することが可能となっており、回動部ＲＳＵを構成している。
【００４５】
図５に示したように回動部ＲＳＵは、開口１０ａの長手方向と平行で且つ開口１０ａの近傍に配置された回転軸を中心に回動するものである。回動部ＲＳＵには、傾斜壁ＷＬａ、傾斜壁ＷＬｂ、外周壁Ｗ、内周壁Ｗａ、及び内周壁Ｗｂが一体に形成されている。このため、図５のように回動部ＲＳＵを回動させた状態においては、溜水部ＲＳの全体が浴室ＢＲに向けて露出した状態となる。従って、溜水部ＲＳの清掃等、メンテナンス作業を行う際においては、フロントパネルＳＰ全体を取り外すことなく、回動部ＲＳＵを回動させるだけで、溜水部ＲＳに浴室ＢＲ側から手が届く状態となる。従って、溜水部ＲＳに対して容易にメンテナンスを施すことができる。
【００４６】
図６は、図５におけるＢ−Ｂ断面を示す断面図である。回動部ＲＳＵは、図６のように回動した状態において、下端となる位置から底部ＢＴと平行に上方に延びる（図４においては水平に延びる）捕水壁ＣＴを有している。
【００４７】
図４において溜水部ＲＳに溜まっていた保留水ＷＴ２は、回動部ＲＳＵが回転するに伴って下方（捕水壁ＣＴ側）に移動し、図６のように捕水壁ＣＴと底部ＢＴとによって挟まれた空間に溜まった状態となる。
【００４８】
尚、浴室空調装置ＤＭにおける回動部ＲＳＵの回転軸部分の軸受構造について、詳細な図示による説明は省略するが、一般に用いられる種々の回転軸受を採用することができる。本実施形態においては、回動部ＲＳＵを浴室空調装置ＤＭから取り外すことが可能な軸受を採用している。このため、溜水部ＲＳの細部まで清掃するような場合においては、回動部ＲＳＵを取り外し、天井パネルから離れた場所において作業を行うことが可能となっている。
【００４９】
浴室空調装置ＤＭのメンテナンスは、定期的に行われることが好ましく、リモコンＲＭには、メンテナンス時期を報知するメンテナンス時期報知手段であるメンテナンスＬＥＤ７２が設けられている。（図２）メンテナンスＬＥＤ７２は、メンテナンス時期になるとＬＥＤを点灯し、使用者にメンテナンス時期となったことを報知する。報知のタイミングは、例えば、３カ月毎に報知したり、ファンモータ３０ａの総回転数に基づき報知したりすることで、使用者に定期的にメンテナンスを促す。
【００５０】
本実施形態において好ましくは、メンテナンスＬＥＤ７２がメンテナンス時期を報知しているときにのみ、リモコンＲＭの内部基盤は、保留水Ｔ２を検知する検知手段である電極６０ａ、６０ｂに電流を流し、保留水Ｔ２の有無を検知し、結露水検知手段である結露水ＬＥＤ７０を点灯させる。従って、フロントパネルＳＰを開閉する必要がある、浴室空調装置のメンテナンスのときに、結露水の有無を報知でき清掃者に注意を促すことができる。
【００５１】
更に、本実施形態に、溜水部ＲＳに保留水Ｔ２が溜まっている場合、フロントパネルＳＰが開かないようにロック機構を設け、清掃者が解除操作を行うことで、ロック機構を解除できるようにすることで、簡単にはフロントパネルＳＰを開くことができない。解除操作は、例えばリモコンＲＭの解除ボタンを押すことでロック機構を解除できる。
【００５２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１０：吸込口
１０ａ，１０ｂ：開口
２０：吹出口
２０ａ：開口
２１：整風板
３０：ファン
３０ａ：ファンモータ
５０：内部流路
５０ａ：上流側流路
５０ｂ：下流側流路
６０ａ，６０ｂ：電極
７０：結露水ＬＥＤ
７２：メンテナンスＬＥＤ
ＢＲ：浴室
ＢＲｃ：天井
ＣＢ：有線ケーブル
Ｄ１：ダクト
ＤＭ：浴室空調装置
ＦＢ：機能部
ＦＢｆ：フランジ
ＨＴ：ヒーター
ＳＰ：フロントパネル
ＳＲ：洗面所
ＳＲ１：吸引口
ＳＲ２：ダクト
ＲＭ：リモコン
ＲＳＵ：回動部
ＷＬａ：傾斜壁
ＷＬｂ：傾斜壁
ＢＴ：底部
ＣＴ：捕水壁
Ｓａ，Ｓｂ：傾斜面
ＲＳ：溜水部
Ｗ：外周壁
Ｗａ，Ｗｂ：内周壁
ＷＴ１ａ，ＷＴ１ｂ：水滴
ＷＴ２：保留水
【図１】
2015068552.tif 000003
【図２】
2015068552.tif 000004
【図３】
2015068552.tif 000005
【図４】
2015068552.tif 000006
【図５】
2015068552.tif 000007
【図６】
2015068552.tif 000008